【手続補正書】
【提出日】平成29年5月26日(2017.5.26)
【手続補正１】
【補正対象書類名】特許請求の範囲
【補正対象項目名】全文
【補正方法】変更
【補正の内容】
【特許請求の範囲】
【請求項１】
非晶質化合物；
結晶性化合物；
ポリエステルポリマーであって、ポリエステルが、約５００〜約８，０００の分子量および約１．０〜約８．０の多分散指数を有するポリエステルポリマー；
任意の相乗剤；
任意の分散剤；および
着色剤
を含む相変化インク組成物。
【請求項２】
前記ポリエステルは、１，２−プロピレングリコール、ナフタレンジカルボン酸、１，３−プロパンジオール、アゼライン酸、アビエチン酸、グリセロール、イソフタル酸、ヘキサンジオール、ＤＬ−マンデル酸、乳酸、コハク酸、クエン酸、ならびにこれらの混合物および組み合わせからなる群から選択されるモノマーから調製された大きいモノマーを含む、請求項１に記載の相変化インク組成物。
【請求項３】
前記ポリエステルは、ポリ（二量化ロジン−ｃｏ−１，２−プロピレングリコール−ｃｏ−ナフタレンジカルボン酸−ｃｏ−１，３−プロパンジオール−ｃｏ−アゼライン酸−ｃｏ−ロジンフマレート）コポリマー、ポリ（２−（２−ヒドロキシ−２−（（１Ｒ，４ａＲ，４ｂＲ）−７−イソプロピル−１，４ａ−ジメチル−１，２，３，４，４ａ，４ｂ，５，６，１０，１０ａ−デカヒドロフェナントレン−１−カルボニル）オキシ）エチル）６−（２−ヒドロキシ−３−（（（１Ｒ，４ａＲ，４ｂＲ）−７−イソプロピル−１，４ａ−ジメチル−１，２，３，４，４ａ，４ｂ，５，６，１０，１０ａ−デカヒドロフェナントレン−１−カルボニル）オキシ）プロピル）ナフタレン−２，６−ジカルボキシレート−ｃｏ−イソフタル酸−ｃｏ−１，６−ヘキサンジオール）コポリマー、ポリ（マンデル酸−ｃｏ−乳酸）コポリマー、ならびにこれらの混合物および組み合わせからなる群から選択されるバイオ系ポリエステルである、請求項１に記載の相変化インク組成物。
【請求項４】
前記ポリエステルが、バイオ系の分岐ポリエステル樹脂であり：
（ｉ）
（ａ）ヒドロキシルドナー；
（ｂ）環状ポリヒドロキシルアクセプタ；
（ｃ）任意の触媒；
の縮合生成物；ならびに
（ｉｉ）ポリ酸；
を含み、前記バイオ系の分岐ポリエステル樹脂が約９０％を超えるバイオ系である、請求項１に記載の相変化インク組成物。
【請求項５】
前記ポリエステルが、バイオ系の分岐ポリエステル樹脂であり：
（ｉ）
（ａ）グリセロール、グリセロールカーボネート、トリメチロールプロパン、トリメチロールエタンおよびヘキサントリオールからなる群から選択されるヒドロキシルドナー；
（ｂ）アビエチン酸、ネオアビエチン酸、パルストリン酸、レボピマール酸、ジヒドロアビエチン酸、ピマル酸、イソピマル酸、およびこれらの組み合わせからなる群から選択される環状ポリヒドロキシルアクセプタ；
（ｃ）任意の触媒；
の縮合生成物；ならびに
（ｉｉ）フマル酸、マレイン酸、コハク酸、イタコン酸、ドデシルコハク酸、グルタル酸、アジピン酸、ピメリン酸、スベリン酸、アゼライン酸、ドデカン二酸、およびこれらの組み合わせからなる群から選択されるポリ酸；
を含み、前記バイオ系の分岐ポリエステル樹脂が約９０％を超えるバイオ系である、請求項１に記載の相変化インク組成物。
【請求項６】
前記ポリエステルが、バイオ系の分岐ポリエステル樹脂であり：
（ｉ）
（ａ）グリセリンカーボネートおよび／またはグリセロール；および
（ｂ）アビエチン酸、ネオアビエチン酸、パルストリン酸、レボピマール酸、ジヒドロアビエチン酸、ピマル酸、イソピマル酸、およびこれらの組み合わせからなる群から選択されるロジン酸の重縮合生成物；ならびに
（ｉｉ）コハク酸、フマル酸、マレイン酸、イタコン酸、ドデシルコハク酸、グルタル酸、アジピン酸、ピメリン酸、スベリン酸およびアゼライン酸からなる群から選択されるポリ酸を含む、請求項１に記載の相変化インク組成物。
【請求項７】
前記ポリエステルが、以下の式の１−デシル−１２−メチルドデカンジオエートである
【化１】
2015004060.tif 000001
（ｎが、１〜１，０００の整数である）、請求項１に記載の相変化インク組成物。
【請求項８】
前記ポリエステルが、以下の式の化合物を含む分岐ポリエステルである
【化２】
2015004060.tif 000002
（Ｒがアルキレン基であり、前記アルキレン基が、線状および分岐、飽和および不飽和、環状および非環状、置換および非置換アルキレン基から選択でき、ヘテロ原子が、アルキレン基に存在してもよく、または存在しなくてもよい；
Ｒ’がアルキレン基であり、前記アルキレン基が、線状および分岐、飽和および不飽和、環状および非環状、置換および非置換アルキレン基から選択でき、ヘテロ原子が、アルキレン基に存在してもよく、または存在しなくてもよい；
Ｒ’に隣接するすべてのカルボニル炭素は、２つの原子が単結合によって分離されている場合に、少なくとも２つの原子によって分離される；または
Ｒ’に隣接するすべてのカルボニル炭素は、連続して共有連結した少なくとも３つの原子によって分離され：
ｍが１〜１，０００の整数であり；および
ｎが１〜１，０００の整数である）、請求項１に記載の相変化インク組成物。
【請求項９】
前記非晶質化合物が、以下の式の酒石酸の第１のエステルを含み
【化３】
2015004060.tif 000003
（Ｒ1、Ｒ2、Ｒ3、Ｒ4、およびＲ5はそれぞれ、独立に、アルキル基（このアルキルは、直鎖、分岐または環状、飽和または不飽和、置換または非置換であることができ、１〜４０個の炭素原子を有する）、あるいは置換または非置換芳香族またはヘテロ芳香族基から選択され；
前記結晶性化合物が、以下の式の酒石酸の第２のエステルを含む
【化４】
2015004060.tif 000004
（Ｒ6およびＲ7はそれぞれ、独立に、アリールまたはヘテロアリールであり、任意選択可能な構成として、アリールまたはヘテロアリールは、低級アルキル基、アルコキシ基、またはこれらの組み合わせで置換されてもよく、ｎのそれぞれは独立に０〜３の整数である）、請求項１に記載の相変化インク組成物。
【請求項１０】
前記結晶性化合物が、ジベンジルＬ−タートラート、ジフェネチルＬ−タートラート、ビス（３−フェニル−１−プロピル）Ｌ−タートラート、ビス（２−フェノキシエチル）Ｌ−タートラート、ジフェニルＬ−タートラート、ビス（４−メチルフェニル）Ｌ−タートラート、ビス（４−メトキシルフェニル）Ｌ−タートラート、ビス（４−メチルベンジル）Ｌ−タートラート、ビス（４−メトキシベンジル）Ｌ−タートラート、ならびにこれらの立体異性体および混合物からなる群から選択され；
前記非晶質化合物が、ビス（２−イソプロピル−５−メチルシクロヘキシル）Ｌ−タートラート、（４−ｔ−ブチルシクロヘキシル）（シクロヘキシル）−Ｌ−タートラート、ならびにこれらの立体異性体および混合物からなる群から選択される、請求項１に記載の相変化インク組成物。
【請求項１１】
前記非晶質化合物が以下の式の化合物である、請求項１に記載の相変化インク組成物。
【化５】
2015004060.tif 000005
【請求項１２】
前記結晶性化合物が、以下の式の化合物である、請求項１に記載の相変化インク組成物。
【化６】
2015004060.tif 000006
【請求項１３】
（１）非晶質化合物；結晶性化合物；ポリエステルポリマー；任意の相乗剤；任意の分散剤および着色剤を含む相変化インク組成物をインクジェット印刷装置に組み込む工程であって、ここでこのポリエステルは、約５００〜約８，０００の分子量、および約１．０〜約８．０の多分散指数を有する工程；
（２）インクを溶融する工程；および
（３）溶融インクの液滴を、基材上に画像様パターンに放出させる工程を含むプロセス。
【請求項１４】
前記ポリエステルが、バイオ系の分岐ポリエステル樹脂であり：
（ｉ）
（ａ）グリセロール、グリセロールカーボネート、トリメチロールプロパン、トリメチロールエタンおよびヘキサントリオールからなる群から選択されるヒドロキシルドナー；
（ｂ）アビエチン酸、ネオアビエチン酸、パルストリン酸、レボピマール酸、ジヒドロアビエチン酸、ピマル酸、イソピマル酸、およびこれらの組み合わせからなる群から選択される環状ポリヒドロキシルアクセプタ；
（ｃ）任意の触媒；
の縮合生成物；ならびに
（ｉｉ）フマル酸、マレイン酸、コハク酸、イタコン酸、ドデシルコハク酸、グルタル酸、アジピン酸、ピメリン酸、スベリン酸、アゼライン酸、ドデカン二酸、およびこれらの組み合わせからなる群から選択されるポリ酸；
を含み、前記バイオ系の分岐ポリエステル樹脂が約９０％を超えるバイオ系である、請求項１３に記載のプロセス。
【請求項１５】
前記ポリエステルが、以下の式の１−デシル−１２−メチルドデカンジオエートである
【化７】
2015004060.tif 000007
（ｎが、１〜１，０００の整数である）、請求項１３に記載のプロセス。
【請求項１６】
非晶質化合物；結晶性化合物；ポリエステルポリマー；任意の相乗剤；任意の分散剤および着色剤を含む相変化インク組成物を含むインクジェットプリンターのスティックまたはペレットであって、ここでこのポリエステルは、約５００〜約８，０００の分子量、および約１．０〜約８．０の多分散指数を有するスティックまたはペレット。
【請求項１７】
前記ポリエステルが、バイオ系の分岐ポリエステル樹脂であり：
（ｉ）
（ａ）グリセロール、グリセロールカーボネート、トリメチロールプロパン、トリメチロールエタンおよびヘキサントリオールからなる群から選択されるヒドロキシルドナー；
（ｂ）アビエチン酸、ネオアビエチン酸、パルストリン酸、レボピマール酸、ジヒドロアビエチン酸、ピマル酸、イソピマル酸、およびこれらの組み合わせからなる群から選択される環状ポリヒドロキシルアクセプタ；
（ｃ）任意の触媒；
の縮合生成物；ならびに
（ｉｉ）フマル酸、マレイン酸、コハク酸、イタコン酸、ドデシルコハク酸、グルタル酸、アジピン酸、ピメリン酸、スベリン酸、アゼライン酸、ドデカン二酸、およびこれらの組み合わせからなる群から選択されるポリ酸；
を含み、前記バイオ系の分岐ポリエステル樹脂が約９０％を超えるバイオ系である、請求項１６に記載のインクジェットプリンターのスティックまたはペレット。
【請求項１８】
前記ポリエステルが、以下の式の１−デシル−１２−メチルドデカンジオエートである
【化８】
2015004060.tif 000008
（ｎが、１〜１，０００の整数である）、請求項１６に記載のインクジェットプリンターのスティックまたはペレット。
【請求項１９】
前記非晶質化合物が、以下の式の酒石酸の第１のエステルを含み
【化９】
2015004060.tif 000009
（Ｒ1、Ｒ2、Ｒ3、Ｒ4、およびＲ5はそれぞれ、独立に、アルキル基（このアルキルは、直鎖、分岐または環状、飽和または不飽和、置換または非置換であることができ、１〜４０個の炭素原子を有する）、あるいは置換または非置換芳香族またはヘテロ芳香族基から選択され；
前記結晶性化合物が、以下の式の酒石酸の第２のエステルを含む
【化１０】
2015004060.tif 000010
（Ｒ6およびＲ7はそれぞれ、独立に、アリールまたはヘテロアリールであり、任意選択可能な構成として、アリールまたはヘテロアリールは、低級アルキル基、アルコキシ基、またはこれらの組み合わせで置換されてもよく、ｎのそれぞれは独立に０〜３の整数である）、請求項１６に記載のインクジェットプリンターのスティックまたはペレット。
【請求項２０】
前記ポリエステルは、１，２−プロピレングリコール、ナフタレンジカルボン酸、１，３−プロパンジオール、アゼライン酸、アビエチン酸、グリセロール、イソフタル酸、ヘキサンジオール、ＤＬ−マンデル酸、乳酸、コハク酸、クエン酸、ならびにこれらの混合物および組み合わせからなる群から選択されるモノマーから調製された大きいモノマーを含む、請求項１６に記載のインクジェットプリンターのスティックまたはペレット。